【手続補正書】
【提出日】平成22年1月6日(2010.1.6)
【手続補正１】
【補正対象書類名】明細書
【補正対象項目名】０００１
【補正方法】変更
【補正の内容】
【０００１】本発明は、資格証明事項データを提供するサーバーにアクセスするための情報を記録した、二次元コード等のデータ読み取り用媒体を含有する、資格証明事項データの提示用の携行用カードに係るものである。
【手続補正２】
【補正対象書類名】明細書
【補正対象項目名】００１２
【補正方法】変更
【補正の内容】
【００１２】資格証明事項データの内容を記録する場合、集積回路を組み込んだカードのようにカード自体に個別の内容を記録しなければならないとなれば、効率的ではない。また、集積回路を組み込んだカードにおいて資格証明事項データを管理、提供する際に、高価なソフトウェアを導入することを余儀なくされ、システム上不備が多かった。
【手続補正３】
【補正対象書類名】明細書
【補正対象項目名】００１７
【補正方法】変更
【補正の内容】
【００１７】資格証明事項データの内容を記録する場合、集積回路を組み込んだカードのようにカード自体に個別の内容を記録する手間を省くことが必要である。また、資格証明事項データを配・受信する場合に、あるいは資格証明事項データを管理する場合には、廉価で、実行可能性の高いシステム、およびネットワークを作り上げなければならない
【手続補正４】
【補正対象書類名】明細書
【補正対象項目名】００１９
【補正方法】変更
【補正の内容】
【００１９】［図１］は、資格証明事項データを提供するサーバーにアクセスするための情報を記録した、資格証明に用いる携行用カード（１）である。資格証明事項データを保有する側に対して、付与する。名刺サイズ程度であれば、携行に際して簡便といえる。資格証明事項データを提供するサーバーにアクセスするための二次元コード（２）を作成して、カード上に印刷する。二次元コードを携帯電話機でスキャニングし、資格証明事項データを提供するサーバーにアクセスする。サーバーでデータ管理を常時行うことによって、集積回路を組み込んだカードのように、個別カードごとにデータを書き込む作業を省略可能にする。
【手続補正５】
【補正対象書類名】明細書
【補正対象項目名】００２０
【補正方法】変更
【補正の内容】
【００２０】［図２］は、資格証明事項データを保有する側が利用するための、資格証明事項データの配・受信時における、携帯電話機の電子通信機器画面のチャートである。二次元コードを携帯電話機でスキャニングし、資格証明事項データを保有する側が利用する資格証明事項データの配信時における携帯電話機（３）に、資格証明事項データを提供するサーバーにアクセスするための電子通信機器画面（４）を表示させる。電子通信機器画面に、資格証明事項データを提供するサーバーにアクセスするためのアイコン（５）を表示する。資格証明事項データを提供するサーバーを通してデータを配・受信（６）し、資格証明事項データを保有する側が利用する携帯電話機（７）の電子通信機器画面（８）上に資格証明事項データが表示され、視認容易となり資格証明事項データの確認を実行できる。
【手続補正６】
【補正対象書類名】明細書
【補正対象項目名】００２２
【補正方法】変更
【補正の内容】
【００２２】［図４］は、資格証明事項データの周辺情報や、周辺規則等のデータを利用するための、データを配・受信を行うチャートである。資格証明事項データを保有する側が、資格証明事項データの周辺情報や、周辺規則等の受信を希望する場合、配信時における携帯電話機（１５）に、周辺情報や、周辺規則等を提供するサーバーにアクセスするための電子通信機器画面（１６）を表示させる。電子通信機器画面に、資格証明事項データを提供するサーバーにアクセスするための、乱数番号入箇所（１７）を表示する。周辺情報や、周辺規則等の範囲の特定も設定可能である。乱数番号入力箇所（１７）にパスワード等を入力して、資格証明事項データを提供するサーバーを通しての資格証明事項データの周辺情報や、周辺規則等を配・受信（１８）する。資格証明事項データの周辺情報や、周辺規則等の受信を希望する側の受信時における携帯電話機（１９）には、周辺情報や、周辺規則等をダウンロードした電子通信機器画面（２０）が表示される。これにより、資格証明事項データの確認作業が可能となる。周辺情報や、周辺規則等のデータ・ファイルについては、画像固定データ加工等により、少ない容量で作成すれば、文字数が多い場合でも、ダウンロードの時間が節約でき、視覚上明瞭なデータ表示を実行可能である。画面スクロール用のアイコンにより、資格証明事項データの周辺情報や、周辺規則等のデータを変動可能にすれば、全文掲載も含めての広範囲な情報の提供を可能とし、必要に応じて、必要箇所の抽出も可能なため、使用者の便宜を図れる。
【手続補正７】
【補正対象書類名】明細書
【補正対象項目名】００２４
【補正方法】変更
【補正の内容】
【００２４】［図１］は、資格証明事項データを提供するサーバーにアクセスするための情報を記録した、資格証明に用いる携行用カード（１）である。資格証明事項データを保有する側に対して、付与する。サイズ設定は、名刺サイズ程度が望ましいが、任意に設定できる。資格証明事項データを提供するサーバーにアクセスするための二次元コード（２）を作成して、カード上に印刷する。二次元コードには、付与された者の資格証明事項データに関する情報と資格証明事項データを提供するサーバーにアクセスするための情報を併記する。
資格証明事項データを統括的に管理、提供するシステムをインターネット・サーバーで常時行えば、集積回路を組み込んだカードのように、個別カードごとにデータを書き込む作業を省略可能にする。
【手続補正８】
【補正対象書類名】明細書
【補正対象項目名】００２５
【補正方法】変更
【補正の内容】
【００２５】［図２］は、資格証明事項データを保有する側が利用するための、資格証明事項データの配・受信時における、携帯電話機の電子通信機器画面のチャートである。二次元コードを携帯電話機でスキャニングし資格証明事項データを保有する側が利用する資格証明事項データの配信時における携帯電話機（３）に、資格証明事項データを提供するサーバーにアクセスするための電子通信機器画面（４）を表示させる。電子通信機器画面に、資格証明事項データを提供するサーバーにアクセスするためのアイコン（５）を表示する。アクセスするためのアイコン（５）をパスワード等の乱数番号の入力を必須にするかどうかは、任意に設定できる。資格証明事項データを提供するサーバーを通してデータを配・受信（６）し、資格証明事項データを保有する側が利用する携帯電話機（７）の電子通信機器画面（８）上に資格証明事項データが表示され、視認容易となり、資格証明事項データの確認を実行できる。電子通信機器画面（８）上に表示する資格証明事項データは、画像固定データ加工等により少ない容量で作成すれば、ダウンロードの時間が節約でき、視覚上明瞭な効果を得ることも可能である。
【手続補正９】
【補正対象書類名】明細書
【補正対象項目名】００２７
【補正方法】変更
【補正の内容】
【００２７】［図４］は、資格証明事項データの周辺情報や、周辺規則等のデータを利用するための、データを配・受信を行うチャートである。資格証明事項データを保有する側が、資格証明事項データの周辺情報や、周辺規則等の受信を希望する場合、配信時における携帯電話機（１５）に、周辺情報や、周辺規則等を提供するサーバーにアクセスするための電子通信機器画面（１６）を表示させる。周辺情報や、周辺規則等の範囲の特定も設定可能である。たとえば、野球の検定資格を持つ者が、野球の規則を確認したいような場合、ルールブックの一部、または全部の電子通信機器画面での即時表示による確認作業を可能とする。資格証明事項データを提供するサーバーにアクセスするための、乱数番号入力箇所（１７）を表示する。アクセス用のパスワード等を有償貸与として、事業化することが可能である。乱数番号入力箇所（１７）にパスワード等を入力して、資格証明事項データを提供するサーバーを通しての資格証明事項データの周辺情報や、周辺規則等を配・受信（１８）する。資格証明事項データの周辺情報や、周辺規則等の受信を希望する側の受信時における携帯電話機（１９）には、周辺情報や、周辺規則等をダウンロードした電子通信機器画面（２０）が表示される。これにより、資格証明事項データの確認作業が可能となる。周辺情報や、周辺規則等のデータ・ファイルについては、画像固定データ加工等により少ない容量で作成すれば、文字数が多い場合でも、ダウンロードの時間が節約でき、視覚上明瞭なデータ表示を実行可能である。実際に、野球の規則のルールブック等の場合、相当数の文字データの表示が可能である。画面スクロール用のアイコンにより、資格証明事項データの周辺情報や、周辺規則等のデータを変動可能にすれば、使用者の便宜を図れる。
【手続補正１０】
【補正対象書類名】明細書
【補正対象項目名】００２９
【補正方法】変更
【補正の内容】
【００２９】資格証明に用いる携行用カード上に印刷された、二次元コードを携帯電話機でスキャニングし、資格証明事項データを提供するサーバーにアクセスする。囲碁・将棋等の級・段位を保有する者がサーバーを通じて、携帯電話機のような汎用的な電子通信機器によって、資格証明事項データを容易、かつ迅速に画面上に視認可能とし、資格証明事項データの確認ができる。
【手続補正１１】
【補正対象書類名】明細書
【補正対象項目名】００３２
【補正方法】変更
【補正の内容】
【００３２】資格証明事項データの周辺情報や、周辺規則等のデータを利用するための、データを配・受信を行えるように設定する。規則等の提供は、必ずしも資格証明事項データの周辺に関するものでなくともよい。また、規則等の提供は、有償・無償問わず任意に設定できるものとする。一例を挙げれば、野球の検定資格を持つ者が、野球の規則を確認したいような場合、ルールブックの一部、または全部の電子通信機器画面で確認作業をするような場合であるが、特に資格を持っていないものに対しても提供可能なサービスとすることも可能である。サービス提供のためのアクセス用のパスワード等を有償貸与として、事業化することが可能である。周辺情報や、周辺規則等のデータ・ファイルについては、画像固定データ加工等により少ない容量で作成すれば、文字数が多い場合でも、ダウンロードの時間が節約でき、視覚上明瞭なデータ表示を実行可能である。
【手続補正１２】
【補正対象書類名】明細書
【補正対象項目名】００３９
【補正方法】変更
【補正の内容】
【００３９】サーバー内でホスティングし、集積回路を組み込んだカードのように、カード自体に個別の内容を記録する必要がなく、効率的にデータの配・受信が行える。
【手続補正１３】
【補正対象書類名】明細書
【補正対象項目名】００５１
【補正方法】変更
【補正の内容】
【００５１】１  資格証明に用いる携行用カード
２  サーバーにアクセスするための二次元コード
３  資格証明事項データの配信時における携帯電話機
４  資格証明事項データを提供するサーバーにアクセスするための電子通信機器画面
５  資格証明事項データを提供するサーバーにアクセスするためのアイコン
６  サーバーを通してデータを配・受信
７  資格証明事項データを保有する側が利用する携帯電話機
８  電子通信機器画面
９  資格証明事項データの確認を希望する側の配信時における携帯電話機
１０  電子通信機器画面
１１  画面上の乱数番号入力箇所
１２  資格証明事項データ配・受信
１３  資格証明事項データの確認を希望する側の受信時における携帯電話機
１４  資格証明事項データをダウンロードした、電子通信機器画面
１５  配信時における携帯電話機
１６  周辺情報や、周辺規則等を提供するサーバーにアクセスするための電子通信機器画面
１７  サーバーにアクセスするための、乱数番号入力箇所
１８  周辺情報や、周辺規則等の配・受信
１９  周辺情報や、周辺規則等の受信を希望する側の受信時における携帯電話機
２０  周辺情報や、周辺規則等をダウンロードした電子通信機器画面
２１  資格証明事項データを保有する側の配信時の携帯電話機
２２  配・受信
２３  資格証明事項データを提供する側の情報データ・ベース機器
２４  無線ＬＡＮ
２５  データ送信
２６  資格証明事項データを提供する側のホスト・コンピューター
２７  インターネット・サーバーへの送・受信
２８  インターネット・サーバーへの送・受信
２９  インターネット・サーバーへのアクセス
３０  資格証明事項データを提供する側の情報データ・ベース機器へのデータ送信
３１  直接資格証明事項データを保有する側の受信時携帯電話機への配信
３２  直接ネットワークを構成するインターネット・サーバーへの送・受信
３３  他の資格証明事項データを提供する側のホスト・コンピューター
３４  インターネット・サーバーへの送・受信
３５  無線ＬＡＮ
３６  他の資格証明事項データを提供する側の情報データ・ベース機器
３７  インターネット・サーバー
３８  管理している情報の一部、または全部についての送信
３９  資格証明事項データを保有する側の受信時の携帯電話機
【手続補正１４】
【補正対象書類名】図面
【補正対象項目名】図１
【補正方法】変更
【補正の内容】
【図１】
2009217806.tif 000001